(57)【要約】【課題】  昇降路機器の異常取り付け状態を検出したとき運転を停止させるエレベーターの点検運転方法を提供する。【解決手段】  昇降路内を運転されるエレベーターかごの天井側で、エレベーターかごの走行軌跡に対して外側上昇方向に突出する位置、及び／又はエレベーターかごの床側で、エレベーターかごの走行軌跡に対して外側下降方向に突出する位置に昇降路機器の異常取り付け状態を検出する装置を設置し、エレベーターかごを微速にて運転し、昇降路機器の異常取り付け状態を検出する装置の検出結果により、エレベーターかごの昇降動作を停止させる。【選択図】  図４
2006151676.tif 000002
【特許請求の範囲】
【請求項１】
昇降路内を運転されるエレベーターかごの天井側で、上記エレベーターかごの走行軌跡から外側に突出する位置、及び／又はエレベーターかごの床側で、上記エレベーターかごの走行軌跡から外側に突出する位置に昇降路機器の異常取り付け状態を検出する装置を設置し、上記エレベーターかごを微速にて運転し、上記昇降路機器の異常取り付け状態を検出する装置の検出結果により、上記エレベーターかごの昇降動作を停止させることを特徴とするエレベーター点検運転方法。
【請求項２】
上記エレベーターかごの天井側で、上記エレベーターかごの走行軌跡から外側に突出する位置は、上記エレベーターかごの平面に対して斜め上方向に突出する位置であり、上記エレベーターかごの床側で、上記エレベーターかごの走行軌跡から外側に突出する位置は、上記エレベーターかごの平面に対して斜め下方向に突出する位置であることを特徴とする請求項１に記載のエレベーター点検運転方法。
【請求項３】
上記昇降路機器の異常取り付け状態を検出する装置は、赤外線投光器と赤外線受光器、あるいは超音波発信器と超音波受信器のいずれかであることを特徴とする請求項１又は請求項２に記載のエレベーター点検運転方法。
【請求項４】
昇降路内を運転されるエレベーターかごの天井側で、上記エレベーターかごの走行軌跡から外側に突出する位置、及び／又はエレベーターかごの床側で、上記エレベーターかごの走行軌跡から外側に突出する位置に設置され、昇降路機器の異常取り付け状態を検出する昇降路機器異常取り付け状態検出装置と、
上記昇降路機器異常取り付け状態検出装置の検出結果により、上記エレベーターかごの昇降動作を停止させる制御装置と、
を備えたことを特徴とするエレベーター点検運転装置。
【請求項５】
上記エレベーターかごの天井側で、上記エレベーターかごの走行軌跡から外側に突出する位置は、上記エレベーターかごの平面に対して斜め上方向に突出する位置であり、上記エレベーターかごの床側で、上記エレベーターかごの走行軌跡から外側に突出する位置は、上記エレベーターかごの平面に対して斜め下方向に突出する位置であることを特徴とする請求項４に記載のエレベーター点検運転装置。
【請求項６】
上記昇降路機器異常取り付け状態検出装置は、赤外線投光器と赤外線受光器、あるいは超音波発信器と超音波受信器のいずれかであることを特徴とする請求項４又は請求項５に記載のエレベーター点検運転装置。
【請求項７】
昇降路内を運転されるエレベーターかごの天井側で、上記エレベーターかごの走行軌跡から外側に突出する位置、及び／又はエレベーターかごの床側で、上記エレベーターかごの走行軌跡から外側に突出する位置に設置され、昇降路機器の異常取り付け状態を検出することを特徴とする昇降路機器異常取り付け状態検出装置。
【請求項８】
上記昇降路機器異常取り付け状態検出装置は、赤外線投光器と赤外線受光器、あるいは超音波発信器と超音波受信器のいずれかであることを特徴とする請求項７に記載の昇降路機器異常取り付け状態検出装置。
【発明の詳細な説明】
【技術分野】
【０００１】
この発明は、エレベーターの昇降路内に設置される機器、所謂、昇降路機器が地震あるいは取り付け間違いなどにより、エレベーターかごの走行軌跡上に侵入した場合、あるいはエレベーターかごに異常接近している状態を検出した場合に、エレベーターかごの運転を停止させるエレベーター点検運転方法及びエレベーター点検運転装置並びに昇降路機器の異常取り付け状態を検出する昇降路機器異常取り付け状態検出装置に関するものである。
【背景技術】
【０００２】
一般に、エレベーターシステムにおいては、例えば地震等が発生すると、エレベーターの運転を一旦停止した後、最寄りの昇降口まで微速にて移動し乗客を降ろすことが行われている。そして比較的小さい地震の場合には、そのまま通常運転が再開されるが、大きい地震の場合には、昇降路内に障害物が存在しないか否かの安全点検が行われるのが通常である。
【０００３】
上記安全点検時に採用されるエレベーター点検運転方法及びその方法に用いられる障害物検出装置として、従来、エレベーターかごの天井側に上昇方向前方に存在する障害物を検出する障害物検出装置を、また、エレベーターかごの床側に下降方向前方に存在する障害物を検出する障害物検出装置をそれぞれ予め設置しておき、エレベーターかごを微速にて点検運転させ、障害物を検出するとエレベーターかごの運転を停止させるものがある（例えば、特許文献１参照）。
【０００４】
【特許文献１】特開２００２−１２８４０８号公報（第１頁要約の欄、図１、図４）
【発明の開示】
【発明が解決しようとする課題】
【０００５】
上記従来のエレベーター点検運転方法及びその方法に用いられる障害物検出装置は、エレベーターかごの天井側に上昇方向前方に存在する障害物を検出する障害物検出装置を、また、エレベーターかごの床側に下降方向前方の障害物を検出する障害物検出装置をそれぞれ予め設置しているが、この障害物検出装置は、エレベーターかごの走行軌跡上の障害物を検出できるのみである。換言すれば、エレベーターかごの走行軌跡上から離れた位置、例えばエレベーターかごの側面に取り付けられた制御盤、付属盤など、昇降路内に取り付けられる昇降路機器が地震あるいは取り付け間違いなどにより、エレベーターかごに異常接近した状態となっていても、この状態を検出することができないものである。
【０００６】
即ち、従来のエレベーター点検運転方法及びその方法に用いられる障害物検出装置は、障害物がエレベーターかごの走行軌跡上に侵入した場合に始めて検出できるもので、例えば、地震あるいは取り付け間違いなどにより、エレベーターかごの側面に異常接近した昇降路機器を検出することができず、これらの昇降路機器が次に発生する地震などによって引き起こされる振動、衝撃などでエレベーターかごの走行軌跡上に障害物となって侵入するのを未然に防止できない、所謂、昇降路機器のエレベーターかご走行軌跡上への侵入前兆状態を検出することができないものである。
【０００７】
このため、地震などが発生した場合の昇降路内の安全点検において、エレベーターかごを微速にて点検運転するものの、昇降路機器がエレベーターかごの走行軌跡上に侵入した場合、エレベーターかごの昇降を妨げるのみでなく、場合によっては昇降路機器がエレベーターかごに接触し、エレベーターかご及び／又は昇降路機器の破壊を招く問題点があった。
【０００８】
この発明は上記問題点に鑑みてなされたもので、第1の目的は、地震あるいは取り付け間違いなどにより、昇降路機器がエレベーターかごの走行軌跡上に侵入した場合を検出するのみならず、エレベーターかごの走行軌跡上から離れた、例えばエレベーターかごの側面に異常接近した取り付け状態、所謂、昇降路機器が走行軌跡上へ侵入する前兆状態をも検出し、昇降路機器の異常取り付け状態が検出された場合にはエレベーターかごの運転を停止させるエレベーター点検運転方法を提供することを目的とするものである。
【０００９】
また、この発明の第２の目的は、地震あるいは取り付け間違いなどにより、昇降路機器がエレベーターかごの走行軌跡上に侵入した場合を検出するのみならず、エレベーターかごの走行軌跡上から離れた、例えばエレベーターかごの側面に異常接近した取り付け状態、所謂、昇降路機器が走行軌跡上へ侵入する前兆状態をも検出し、エレベーターかごの運転を停止させるエレベーター点検運転装置を提供することを目的とするものである。
【００１０】
更にまた、この発明の第３の目的は、上記エレベーター点検運転方法及びエレベーター点検運転装置に用いられて、昇降路機器の異常取り付け状態を検出する昇降路機器異常取り付け状態検出装置を提供することを目的とするものである。
【課題を解決するための手段】
【００１１】
この発明にかかるエレベーター点検運転方法は、昇降路内を運転されるエレベーターかごの天井側で、上記エレベーターかごの走行軌跡から外側に突出する位置、及び／又はエレベーターかごの床側で、上記エレベーターかごの走行軌跡から外側に突出する位置に昇降路機器の異常取り付け状態を検出する装置を設置し、上記エレベーターかごを微速にて運転し、上記昇降路機器の異常取り付け状態を検出する装置の検出結果により、上記エレベーターかごの昇降動作を停止させるものである。
【００１２】
また、この発明にかかるエレベーター点検運転装置は、昇降路内を運転されるエレベーターかごの天井側で、上記エレベーターかごの走行軌跡から外側に突出する位置、及び／又はエレベーターかごの床側で、上記エレベーターかごの走行軌跡から外側に突出する位置に設置され、昇降路機器の異常取り付け状態を検出する昇降路機器異常取り付け状態検出装置と、上記昇降路機器異常取り付け状態検出装置の検出結果により、上記エレベーターかごの昇降動作を停止させる制御装置と、を備えたものである。
【００１３】
更にまた、この発明にかかる昇降路機器異常取り付け状態検出装置は、昇降路内を運転されるエレベーターかごの天井側で、上記エレベーターかごの走行軌跡に対して外側上昇方向に突出する位置、及び／又はエレベーターかごの床側で、上記エレベーターかごの走行軌跡に対して外側下降方向に突出する位置に設置され、昇降路機器の異常取り付け状態を検出するものである。
【発明の効果】
【００１４】
この発明によれば、昇降路機器がエレベーターかごの走行軌跡上に侵入した場合には、それを検出することによりエレベーターを停止させることは勿論、昇降路機器が地震あるいは取り付け間違いなどにより、エレベーターかごに異常接近している場合も、この昇降路機器を検出することによりエレベーターを停止させ、その昇降路機器とエレベーターかごとの距離を離すように取り付け直すことで、次に発生する地震の振動、あるいは衝撃などによりその昇降路機器がエレベーターかごの走行軌跡上に侵入してエレベーターかごに接触し、エレベーターかご及び／又は昇降路機器が破壊するのを未然に防ぐことができる効果がある。
【発明を実施するための最良の形態】
【００１５】
以下に添付図面を参照して、この発明にかかるエレベーター点検運転方法及びエレベーター点検運転装置並びにそれに用いられる昇降路機器異常取り付け状態検出装置について好適な実施の形態を説明する。
【００１６】
実施の形態１．
図１〜図３は、この発明の実施の形態を説明する図である。図１は昇降路の平面を示す図、図２は昇降路の正面を示す図、図３は図１のＸ−Ｘ線断面による昇降路の側断面を示す図である。これらの図において、昇降路１内を運転されるエレベーターかご２の正面及び背面には、エレベーターかご２の天井側で、エレベーターかご２の走行軌跡に対して外側上昇方向に突出する位置に、赤外線を投光する赤外線投光器３とこの赤外線投光器３から投光された赤外線を受光する赤外線受光器４がそれぞれ設けられており、この赤外線投光器３と赤外線受光器４は、それぞれエレベーターの昇降を制御する制御装置５に接続されている。また、エレベーターかご２の床側で、エレベーターかご２の走行軌跡に対して外側下降方向に突出する位置に、赤外線を投光する赤外線投光器３とこの赤外線投光器３から投光された赤外線を受光する赤外線受光器４がそれぞれ設けられており、これらの赤外線投光器３と赤外線受光器４も制御装置５に接続されている。
【００１７】
赤外線投光器３と赤外線受光器４はそれぞれ一対で構成されており、赤外線投光器３により投光される赤外線が、エレベーターかご２の正面及び背面において、その面に平行となる組み合わせで設置されている。
【００１８】
またエレベーターかご２の昇降をガイドするレール６とガイド装置７により隔てられるエレベーターかご２の両側面においても、エレベーターかご２の天井側で、エレベーターかご２の走行軌跡に対して外側上昇方向に突出する位置に、レール６をは挟んでそれぞれ二対の赤外線投光器３と赤外線受光器４が設置されている。また、エレベーターかご２の床側で、エレベーターかご２の走行軌跡に対して外側下降方向に突出する位置にも、エレベーターかご２の天井側と同様に、レール６をはさんでそれぞれ二対の赤外線投光器３と赤外線受光器４が設置されている。これら二対の赤外線投光器３と赤外線受光器４も制御装置５に接続されており、赤外線投光器３により投光される赤外線が、エレベーターかご２の側面において、その面に平行となる組み合わせで設置されている。
【００１９】
レール６には、取り付け部材８により制御盤あるいは付属盤などの昇降路機器９が取り付けられている。この制御盤あるいは付属盤などの昇降路機器９は、例えばエレベーターかご２の位置検出スイッチ、昇降路終点スイッチ、行過ぎ制限スイッチなどの昇降路機器（いずれも図示せず）からの検出信号を受け、エレベーターかご２の各種制御を司るものであるが、エレベーター設置スペースの関係により、昇降路１の内部側壁とエレベーターかご２との僅かな空間に取り付けられるのが通常である。このため、制御盤あるいは付属盤などの昇降路機器９は、地震、あるいは取り付け間違いなどにより、エレベーターかご２の走行軌跡上に侵入するとか、走行軌跡上に侵入しないまでも、エレベーターかご２に異常接近した状態となり得るものあり、次に発生する地震の振動、あるいは衝撃などにより、エレベーターかご２の走行軌跡上に侵入する可能性を有している。
【００２０】
なお前述のように、また、図１乃至図３に示されるように、それぞれの赤外線投光器３と赤外線受光器４は、エレベーターかご２の正面および背面、並びに両側面において、エレベーターかご２の天井側および床側で、エレベーターかご２の走行軌跡に対して外側に突出するように設置されているが、その突出寸法は昇降路機器９とエレベーターかご２とが必要とする最小の空間距離寸法となるように設定され、昇降路機器９の異常取り付け状態を検出する昇降路機器異常取り付け状態検出装置を構成している。
【００２１】
また、制御装置５は、昇降路機器異常取り付け状態検出装置を構成する赤外線投光器３からの赤外線と赤外線受光器４への赤外線を検出し、赤外線受光器４が赤外線を受光しない場合は、エレベーターかご２の昇降動作を停止する制御を行う。
【００２２】
次に、例えば地震が発生した場合を想定し、上記のように構成された昇降路機器異常取り付け状態検出装置を備えたエレベーター点検運転装置の点検運転方法を図４の動作フローを用いて説明する。
【００２３】
図４において、地震が発生した場合、この地震を地震感知器（図示せず）により感知すると（Ｓ１）、エレベーターかご２を微速上昇運転させ（Ｓ２）、昇降路機器９がエレベーターかご２の走行軌跡上に侵入している状態、あるいは昇降路機器９とエレベーターかご２の必要最小の空間距離以内に昇降路機器９が接近している状態を赤外線投光器３と赤外線受光器４により検出（Ｓ３）した場合は、エレベーターかご２の天井側に取り付けられた赤外線投光器３からの赤外線を赤外線受光器４が受光できない場合であり、この赤外線受光器４が赤外線を受光しないことで、制御装置５はエレベーターかご２の微速上昇運転を停止させる。（Ｓ４）
【００２４】
赤外線投光器３からの赤外線を赤外線受光器４が受光している場合は、昇降路機器９がエレベーターかご２の走行軌跡上に侵入していない状態、あるいは昇降路機器９とエレベーターかご２の必要最小の空間距離以内に昇降路機器９が接近していない状態であり、終点スイッチ（図示せず）が動作する（Ｓ５）までエレベーターかご２の微速上昇運転を継続し、終点スイッチが動作した時点でエレベーターかご２の微速上昇運転を停止する。（Ｓ６）
【００２５】
次に、エレベーターかご２を微速下降運転させ（Ｓ７）、昇降路機器９がエレベーターかご２の走行軌跡上に侵入している状態、あるいは昇降路機器９とエレベーターかご２の必要最小の空間距離以内に昇降路機器９が接近している状態を赤外線投光器３と赤外線受光器４により検出（Ｓ８）した場合は、エレベーターかご２の床側に取り付けられた赤外線投光器３からの赤外線を赤外線受光器４が受光できない場合であり、この赤外線受光器４が赤外線を受光しないことで、制御装置５はエレベーターかご２の微速下降運転を停止させる。（Ｓ９）
【００２６】
赤外線投光器３からの赤外線を赤外線受光器４が受光している場合は、昇降路機器９がエレベーターかご２の走行軌跡上に侵入していない状態、あるいは昇降路機器９とエレベーターかご２の必要最小の空間距離以内に昇降路機器９が接近していない状態であり、終点スイッチが動作する（Ｓ１０）までエレベーターかご２の微速下降運転を継続し、終点スイッチが動作した時点でエレベーターの点検運転は完了し、地震感知器をリセットすると共に、通常運転へ移行する。（Ｓ１１）
【００２７】
昇降路機器９を検出して微速上昇運転を停止させた場合（Ｓ４）、あるいは昇降路機器９を検出して微速下降運転を停止させた場合（Ｓ９）には、エレベーターの運行サービスを停止（Ｓ１２）し、保守会社の監視センターへ通報する（Ｓ１３）と共に、昇降路機器９の除去あるいは取り付け修正を行う。（Ｓ１４）
【００２８】
この実施の形態１によれば、昇降路機器９の取り付け間違いをしたり、地震の振動、衝撃などによって昇降路機器９が変形したり、取り付け位置が変わってエレベーターかご２の走行軌跡上に侵入した場合、昇降路機器９がエレベーターかご２に接触する事前にエレベーターを停止させることが可能となり、エレベーターかご２及び／又は昇降路機器９の破壊を防ぐことができる。
【００２９】
さらに、昇降路機器９がエレベーターかご２の走行軌跡上に侵入しておらず、接触しない位置であったとしても、異常接近した位置にあり、次に発生する地震の振動、あるいは衝撃などによりエレベーターかご２の走行軌跡上に侵入し、接触する可能性を検出することができるため、その昇降路機器９を取り付け直すことでエレベーターかご２及び／又は昇降路機器９を破壊させる可能性を未然に防ぐことができる。
【００３０】
以上のように、この実施の形態１によれば、昇降路機器９がエレベーターかご２の走行軌跡上に侵入した場合には、それを検出することによりエレベーターを停止させることは勿論、昇降路機器９が地震あるいは取り付け間違いなどにより、エレベーターかご２に異常接近している場合も、この昇降路機器９を検出することによりエレベーターを停止させ
ることができ、昇降路機器９とエレベーターかご２が衝突する前兆をも検出できる検出効果の拡大を図ったエレベーター点検運転方法及びエレベーター点検運転装置並びにそれに用いる昇降路機器異常取り付け状態検出装置が得られるものである。
【００３１】
実施の形態２．
図５は、この発明の実施の形態２を説明する昇降路の平面図である。この図５において、昇降路１を昇降するエレベーターかご２の天井側に、超音波を発信する超音波発信器１０と、この超音波発信器１０から発信され、昇降路機器９に反射した超音波を受信する超音波受信器１１とが設置されており、この超音波発信器１０と超音波受信器１１により、昇降路機器異常取り付け状態検出装置を構成している。
【００３２】
超音波発信器１０と超音波受信器１１は、エレベーターの昇降を制御する制御装置１２に接続されている。同様に、エレベーターかご２の床側にも天井側と同様に、超音波発信器１０と超音波受信器１１が設置され、制御装置１２に接続されている。
【００３３】
制御装置１２は、超音波発信器１０から発信され、昇降路機器９に反射し超音波受信器１１にて受信される超音波の発信から受信までの時間を測定し、その時間を距離に変換する演算装置１３を備えている。そして、演算装置１３で演算された距離がエレベーターかご２と昇降路機器９との必要最小の距離以内であった場合、エレベーターの昇降を停止させる制御を行う。なお、その他の構成については、実施の形態１と同様であり、その説明を省略する。
【００３４】
上記のよう構成された実施の形態２においては、エレベーターかご２と昇降路機器９との距離を測定できるため、昇降路機器９がエレベーターかご２に接触する位置にある場合や、昇降路機器９とエレベーターかご２の必要最小距離以内に昇降路機器９が接近している場合には制御装置１２がエレベーターの昇降を停止させる。
【００３５】
これによって、実施の形態１と同様の効果を奏するエレベーター点検運転方法及びエレベーター点検運転装置並びにそれに用いる昇降路機器異常取り付け状態検出装置が得られる。
【産業上の利用可能性】
【００３６】
以上のように、この発明に係るエレベーター点検運転方法及びエレベーター点検運転装置並びにそれに用いる昇降路機器異常取り付け状態検出装置は、昇降路機器がエレベーターかごの走行軌跡上に侵入した場合には、それを検出してエレベーターを停止させることは勿論、昇降路機器が地震あるいは取り付け間違いなどにより、エレベーターかごに異常接近している場合も、エレベーターを停止させ、エレベーターかご及び／又は昇降路機器が破壊するのを未然に防ぐ効果を奏することができ、産業上の利用可能性は大なるものである。
【図面の簡単な説明】
【００３７】
【図１】この発明の実施の形態１を説明する昇降路の平面を示す図である。
【図２】この発明の実施の形態１を説明する昇降路の正面を示す図である。
【図３】図１のＸ−Ｘ線断面による昇降路の側断面を示す図である。
【図４】この発明の実施の形態１を説明するエレベーター点検運転装置の動作フローを示す図である。
【図５】この発明の実施の形態２を説明する昇降路の平面を示す図である。
【符号の説明】
【００３８】
１  昇降路
２  エレベーターかご
３  赤外線投光器
４  赤外線受光器
５、１２  制御装置
９  昇降路機器
１０  超音波発信器
１１  超音波受信器
【図１】
2006151676.tif 000003
【図２】
2006151676.tif 000004
【図３】
2006151676.tif 000005
【図４】
2006151676.tif 000006
【図５】
2006151676.tif 000007